【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
車両に搭載された車載電子装置と、
前記車載電子装置に着脱可能で、前記車載電子装置に装着された状態において前記車載電子装置と向かい合う表面に電源スイッチを備える携帯電子装置とを有し、
前記携帯電子装置が前記車載電子装置に装着されていない状態においては、前記電源スイッチの操作状態に応じて前記携帯電子装置の電源が制御され、前記携帯電子装置が前記車載電子装置に装着されている状態においては、前記車載電子装置の電源状態に応じて前記携帯電子装置の電源が制御されることを特徴とする車載用電子システム。
【請求項２】
前記携帯電子装置は内蔵バッテリを備え、
前記携帯電子装置が前記車載電子装置に装着されていない状態においては、前記内蔵バッテリからの電源供給によって前記携帯電子装置の動作を維持することを特徴とする請求項１記載の車載用電子システム。
【請求項３】
前記車載電子装置へ電源が供給されているときに前記携帯電子装置が装着された場合、前記車載電子装置から前記携帯電子装置へ電源が供給されることを特徴とする請求項１又は２記載の車載用電子システム。
【請求項４】
前記車両に搭載された車載バッテリから前記車載電子装置へ電源が供給されているときに、前記内蔵バッテリから電源供給されている前記携帯電子装置が装着された場合、前記携帯電子装置の動作を維持しながら、電源の供給元を前記内蔵バッテリから前記車載バッテリへ切り替えることを特徴とする請求項２又は３記載の車載用電子システム。
【請求項５】
前記携帯電子装置が前記車載電子装置に装着されている状態においては、前記車載バッテリによって前記内蔵バッテリを充電することを特徴とする請求項４記載の車載用電子システム。
【請求項６】
車両に搭載された車載電子装置に着脱可能で、前記車載電子装置に装着された状態において前記車載電子装置と向い合う表面に電源スイッチを備える携帯電子装置であって、
前記車載電子装置に装着されていない状態においては、前記電源スイッチの操作状態に応じて電源供給が制御され、前記車載電子装置に装着されている状態においては、前記車載電子装置への電源供給状態に応じて電源供給が制御されることを特徴とする携帯電子装置。
【請求項７】
内蔵バッテリから電源供給されている状態で、前記車両に搭載された車載バッテリから電源が供給されている前記車載電子装置へ装着された場合、動作を維持しながら、電源の供給元を前記内蔵バッテリから前記車載バッテリへ切り替えることを特徴とする請求項６記載の携帯電子装置。
【請求項８】
車両に搭載され、携帯電子装置を着脱可能な車載電子装置であって、
前記車載電子装置に装着された状態において前記車載電子装置と向かい合う表面に電源スイッチを備える携帯電子装置が前記車載電子装置に装着されている状態において、前記車載電子装置への電源供給状態に応じて前記携帯電子装置への電源供給を制御することを特徴とする車載電子装置。
【請求項９】
車両に搭載された車載電子装置に着脱可能で、前記車載電子装置に装着された状態において前記車載電子装置と向かい合う表面に電源スイッチを備える携帯電子装置への電源供給方法であって、
前記携帯電子装置が前記車載電子装置に装着されていない状態の場合は、前記電源スイッチの操作状態に応じて前記携帯電子装置の電源供給を制御するステップと、
前記携帯電子装置が前記車載電子装置に装着されている状態の場合は、前記車載電子装置への電源状態に応じて前記携帯電子装置の電源供給を制御するステップとを有することを特徴とする携帯電子装置への電源供給方法。
【手続補正２】
【補正対象書類名】明細書
【補正対象項目名】発明の名称
【補正方法】変更
【補正の内容】
【発明の名称】車載用電子システム、車載電子装置、携帯電子装置及び携帯電子装置への電源供給方法
【手続補正３】
【補正対象書類名】明細書
【補正対象項目名】０００９
【補正方法】変更
【補正の内容】
【０００９】
かかる目的を達成するため本発明の車載用電子システムは、車両に搭載された車載電子装置と、前記車載電子装置に着脱可能で、前記車載電子装置に装着された状態において前記車載電子装置と向かい合う表面に電源スイッチを備える携帯電子装置とを有し、前記携帯電子装置が前記車載電子装置に装着されていない状態においては、前記電源スイッチの操作状態に応じて前記携帯電子装置の電源が制御され、前記携帯電子装置が前記車載電子装置に装着されている状態においては、前記車載電子装置の電源状態に応じて前記携帯電子装置の電源が制御されることを特徴とする。
本発明によれば、携帯電子装置が車載電子装置に装着されている場合には、車載電子装置の電源状態によって携帯電子装置の電源状態を制御することが可能で、また、携帯電子装置が車載電子装置に装着されていない場合には、スイッチの操作によって携帯電子装置の電源状態を操作することができる。従って、携帯電子装置の操作性を向上させ、ユーザの使い勝手を向上させることができる。
【手続補正４】
【補正対象書類名】明細書
【補正対象項目名】００１０
【補正方法】変更
【補正の内容】
【００１０】
上記車載用電子システムにおいて、前記携帯電子装置は内蔵バッテリを備え、前記携帯電子装置が前記車載電子装置に装着されていない状態においては、前記内蔵バッテリからの電源供給によって前記携帯電子装置の動作を維持することを特徴とする。
従って、前記携帯電子装置が前記車載電子装置に装着されていない状態のときに、内蔵バッテリによって携帯電子装置の動作を維持させることができる。
【手続補正５】
【補正対象書類名】明細書
【補正対象項目名】００１１
【補正方法】変更
【補正の内容】
【００１１】
上記車載用電子システムにおいて、前記車載電子装置へ電源が供給されているときに前記携帯電子装置が装着された場合、前記車載電子装置から前記携帯電子装置へ電源が供給されることを特徴とする。
従って、携帯電子装置を車載電子装置に装着することで、携帯電子装置は、車載電子装置から電源の供給を受けることができる。
【手続補正６】
【補正対象書類名】明細書
【補正対象項目名】００１２
【補正方法】変更
【補正の内容】
【００１２】
上記車載用電子システムにおいて、前記車両に搭載された車載バッテリから前記車載電子装置へ電源が供給されているときに、前記内蔵バッテリから電源供給されている前記携帯電子装置が装着された場合、前記携帯電子装置の動作を維持しながら、電源の供給元を前記内蔵バッテリから前記車載バッテリへ切り替えることを特徴とする。従って、携帯電子装置を車載電子装置に装着することで、携帯電子装置は、車載バッテリからの電源の供給を受けることができる。
また、上記車載用電子システムにおいて、前記携帯電子装置が前記車載電子装置に装着されている状態においては、前記車載バッテリによって前記内蔵バッテリを充電することを特徴とする。従って、携帯電子装置を車載電子装置に装着することで、携帯電子装置は、内蔵バッテリを充電することができる。
【手続補正７】
【補正対象書類名】明細書
【補正対象項目名】００１３
【補正方法】変更
【補正の内容】
【００１３】
本発明の携帯電子装置は、車両に搭載された車載電子装置に着脱可能で、前記車載電子装置に装着された状態において前記車載電子装置と向い合う表面に電源スイッチを備える携帯電子装置であって、前記車載電子装置に装着されていない状態においては、前記電源スイッチの操作状態に応じて電源供給が制御され、前記車載電子装置に装着されている状態においては、前記車載電子装置への電源供給状態に応じて電源供給が制御されることを特徴とする。
また、上記携帯電子装置において、内蔵バッテリから電源供給されている状態で、前記車両に搭載された車載バッテリから電源が供給されている前記車載電子装置へ装着された場合、動作を維持しながら、電源の供給元を前記内蔵バッテリから前記車載バッテリへ切り替えることを特徴とする。
【手続補正８】
【補正対象書類名】明細書
【補正対象項目名】００１４
【補正方法】変更
【補正の内容】
【００１４】
本発明の車載電子装置は、車両に搭載され、携帯電子装置を着脱可能な車載電子装置であって、前記車載電子装置に装着された状態において前記車載電子装置と向かい合う表面に電源スイッチを備える携帯電子装置が前記車載電子装置に装着されている状態において、前記車載電子装置への電源供給状態に応じて前記携帯電子装置への電源供給を制御することを特徴とする。
【手続補正９】
【補正対象書類名】明細書
【補正対象項目名】００１５
【補正方法】変更
【補正の内容】
【００１５】
本発明の携帯電子装置への電源供給方法は、車両に搭載された車載電子装置に着脱可能で、前記車載電子装置に装着された状態において前記車載電子装置と向かい合う表面に電源スイッチを備える携帯電子装置への電源供給方法であって、前記携帯電子装置が前記車載電子装置に装着されていない状態の場合は、前記電源スイッチの操作状態に応じて前記携帯電子装置の電源供給を制御するステップと、前記携帯電子装置が前記車載電子装置に装着されている状態の場合は、前記車載電子装置の電源状態に応じて前記携帯電子装置の電源供給を制御するステップとを有することを特徴とする。